(57)【要約】      （修正有）【課題】自走式車椅子の操作ハンドルを操作する手を、障害物から保護する保護具を提供する。【解決手段】自走式車椅子のフレーム等に軟質プラスティック材または硬質ゴム材などの比較的柔らかく、かつ弾力性のある材質で作られた保護具２を取り付ける。種々の障害物が存在する場所でも障害物に直接に手を当てるなどの不都合を生ずることなく安全にかつ安心して自走式車椅子の走行のためのハンドル操作をすることができる。【選択図】図１
0003164302.tif 000002
【実用新案登録請求の範囲】
【請求項１】
車輪外側に操作ハンドルを備えた自走式車椅子において、ハンドルを操作する手を障害物から保護する保護具を取り付けたことを特徴とする自走式車椅子。
【請求項２】
自走式車椅子の操作ハンドルを操作する手を保護する保護具。
【考案の詳細な説明】
【技術分野】
【０００１】
本考案は、病人または要介護人用の車椅子に係り、特に本車椅子に腰掛けた本人が車輪に取り付けられたハンドルを回転させつつ移動することのできる自走式車椅子において、前述ハンドルを操作する手を保護する構造に関するものである。
【背景技術】
【０００２】
現在市販されている自走用車椅子の操作ハンドルは、タイヤの外側にタイヤとともに回転できるよう取り付けられていて、車椅子本体の最外形部となっている。
【０００３】
一方、一般におけるバリアフリー意識の高まりとともに一般家庭内でも自走式車椅子の使用が普及してきている。
【考案の概要】
【考案が解決しようとする課題】
【０００４】
しかしながら、屋内外を問わず自走式車椅子の通路となる部分には障害物も多くあり、たとえば建物のドア開口部寸法が、当該車椅子の２本のタイヤ操作ハンドルの幅ぎりぎりであったり、家具類等もタイヤ操作ハンドルの操作に障害となる場合が多い。
【０００５】
これら障害物に対して、ハンドルを操作する車椅子使用者の手は無防備の状態であり、軽微な接触でも痛みを感じ、怪我をする場合もある。
【０００６】
そこで、当該車椅子が不用意に障害物に接近した場合に、最外部にさらされた無防備な手が障害物に接触することを未然に防止できる安全装置が求められている。
【０００７】
本考案はこの点に鑑みてなされたものであり、自走式車椅子の使用者のハンドルを操作する手を保護する装置を提供することを目的とする。
【課題を解決するための手段】
【０００８】
前述した目的を達成するため、実用新案登録請求の範囲の請求項１に記載の本考案の自走式車椅子は、タイヤを回転させるハンドルを操作する人の手が直接に障害物に接触することを未然に防止するための保護具が備えられている。
【０００９】
また、請求項２に記載の本考案の保護具は、既存の保護具無しの自走式車椅子にもあとから容易に取り付けることのできるものである。
【考案の効果】
【００１０】
本考案の保護具によれば、種々の障害物が存在する場所でも障害物に直接に手を当てるなどの不都合を生ずることなく安全にかつ安心して自走式車椅子の走行のためのハンドル操作をすることができる。
【図面の簡単な説明】
【００１１】
【図１】本考案に係る保護具を組み込んだ自走式車椅子の側面図。
【図２】本考案に係る保護具を組み込んだ自走式車椅子の正面図。
【図３】本考案に係る保護具を組み込んだ自走式車椅子の平面図。
【考案を実施するための最良の形態】
【００１２】
以下、本考案を図面に示す実施形態により説明する。
【００１３】
図２および図３において、保護具２は、その最大幅はハンドルを操作する人の手が障害物から隠れるほどに設定されて成り、車椅子本体のフレーム等の前部に取り付けられる。
【００１４】
さらに図１において、保護具２はハンドル操作の邪魔にならぬよう車椅子本体の前部にハンドルから所定間隔をあけて取り付けられている。
【符号の説明】
【００１５】
１  自走式車椅子本体
２  保護具
３  車輪
４  ハンドル
５  足のせ
６  座席
７  肘掛
８  押し手
９  背もたれ
【図１】
0003164302.tif 000003
【図２】
0003164302.tif 000004
【図３】
0003164302.tif 000005
【手続補正書】
【提出日】平成22年9月15日(2010.9.15)
【手続補正１】
【補正対象書類名】実用新案登録請求の範囲
【補正対象項目名】全文
【補正方法】変更
【補正の内容】
【実用新案登録請求の範囲】
【請求項１】
車輪外側に操作ハンドルを備えた自走式車椅子において、ハンドルを操作する手を障害物から保護するために、両手の前部の車椅子フレームに軟質プラスティック材または硬質ゴム材などの比較的柔らかく、かつ弾力性のある材質で作られた保護具を取り付けたことを特徴とする自走式車椅子。
【請求項２】
自走式車椅子の操作ハンドルを操作する手を保護するための、操作ハンドル前部の車椅子フレームに取り付ける軟質プラスティック材または硬質ゴム材などの比較的柔らかく、かつ弾力性のある材質で作られた保護具。
【手続補正２】
【補正対象書類名】明細書
【補正対象項目名】全文
【補正方法】変更
【補正の内容】
【考案の詳細な説明】
【技術分野】
【０００１】  本考案は、病人または要介護人用の車椅子に係り、特に本車椅子に腰掛けた本人が車輪に取り付けられたハンドルを回転させつつ移動することのできる自走式車椅子において、前述ハンドルを操作する手を保護する構造に関するものである。
【背景技術】
【０００２】  現在市販されている自走式車椅子の操作ハンドルは、タイヤの外側にタイヤとともに回転できるよう取り付けられていて、車椅子本体の最外形部となっている。【０００３】  一方、一般におけるバリアフリー意識の高まりとともに一般家庭内でも自走式車椅子の使用が普及してきている。
【考案の開示】
【考案が解決しようとする課題】
【０００４】  しかしながら、屋内外を問わず自走式車椅子の通路となる部分には障害物も多くあり、たとえば建物のドア開口部寸法が、当該車椅子の２本のタイヤ操作ハンドルの幅ぎりぎりであったり、家具類等もタイヤ操作ハンドルの操作に障害となる場合が多い。【０００５】  これら障害物に対して、ハンドルを操作する車椅子使用者の手は無防備の状態であり、軽微な接触でも痛みを感じ、怪我をする場合もある。【０００６】  そこで、当該車椅子が不用意に障害物に接近した場合に、最外部にさらされた無防備な手が障害物に接触することを未然に防止できる安全装置が求められている。【０００７】  本考案はこの点に鑑みてなされたものであり、自走式車椅子の使用者のハンドルを操作する手を保護する装置を提供することを目的とする。
【課題を解決するための手段】
【０００８】  前述した目的を達成するため、実用新案登録請求の範囲の請求項１に記載の本考案の自走式車椅子は、タイヤを回転させるハンドルを操作する人の手が直接に障害物に接触することを未然に防止するための保護具が備えられている。【０００９】  また、請求項２に記載の本考案の保護具は、既存の保護具無しの自走式車椅子にもあとから容易に取り付けることのできるものである。
【考案の効果】
【００１０】  本考案の保護具によれば、種々の障害物が存在する場所でも障害物に直接に手を当てるなどの不都合を生ずることなく安全にかつ安心して自走式車椅子の走行のためのハンドル操作をすることができる。
【図面の簡単な説明】
【００１１】
【図１】現存する標準的な自走式車椅子の側面図。
【図２】現存する標準的な自走式車椅子の正面図。
【図３】現存する標準的な自走式車椅子の平面図。
【図４】本考案の保護具の側面図。
【図５】本考案の保護具の正面図。
【図６】本考案の保護具の平面図。
【図７】本考案に係る保護具を組み込んだ自走式車椅子の側面図。
【図８】本考案に係る保護具を組み込んだ自走式車椅子の正面図。
【図９】本考案に係る保護具を組み込んだ自走式車椅子の平面図。
【図１０】現存する自走式車椅子において、一つの事例として、狭い幅の扉の開口部を通過中の平面図を示し、このとき、ハンドルを操作する両手が扉の開口部の角に直接接触する危険性を説明する図。
【図１１】本考案の保護具を取り付けた自走式車椅子において、一つの事例として、狭い幅の扉の開口部を通過中の平面図を示し、このとき、ハンドルを操作する両手が扉の開口部の角に直接接触するまえに、本考案の保護具が扉の開口部に接触して、操作する人の両手を未然に保護することができることを説明する図。
【考案を実施するための最良の形態】
【００１２】  以下、本考案を図面に示す実施形態により説明する。【００１３】 図１は、現存する標準的な自走式車椅子の側面図を示す。【００１４】  図２は、現存する標準的な自走式車椅子の正面図を示す。【００１５】  図３は、現存する標準的な自走式車椅子の平面図を示す。【００１６】  図４は、本考案の保護具の側面図を示す。【００１７】  図５は、本考案の保護具の正面図を示す。【００１８】  図６は、本考案の保護具の平面図を示す。【００１９】  図７は、本考案の保護具を取り付けた状態の自走式車椅子の側面図を示す。【００２０】  図８は、本考案の保護具を取り付けた状態の自走式車椅子の正面図を示す。【００２１】  図９は、本考案の保護具を取り付けた状態の自走式車椅子の平面図を示す。【００２２】  図１０は、現存する標準的な自走式車椅子において、狭い幅の扉の開口部を通過中の平面図を示し、このとき、ハンドルを操作する両手が扉の開口部の角に直接接触する危険性を意味して示されている。【００２３】  図１１は、本考案の保護具を取り付けた自走式車椅子において、狭い幅の扉の開口部を通過中の平面図を示し、このとき、ハンドルを操作する両手が扉の開口部の角に直接接触するまえに、本考案の保護具が扉の開口部に接触して、操作する人の両手を未然に保護することを意味して示されている。【００２４】  図８および図９において、保護具２は、その最大幅はハンドルを操作する人の手が障害物から隠れるほどに設定されて成り、車椅子本体のフレーム等の前部に取り付けられる。【００２５】  さらに図７において、保護具２はハンドル操作の邪魔にならぬよう車椅子本体の前部にハンドルから所定間隔をあけて取り付けられている。
【符号の説明】
【００２６】  １  自走式車椅子本体  ２  保護具  ３  車輪  ４  ハンドル  ５  足のせ  ６  座席  ７  肘掛  ８  押し手９  背もたれ
【手続補正３】
【補正対象書類名】図面
【補正対象項目名】全図
【補正方法】変更
【補正の内容】
【図１】
0003164302.tif 000006
【図２】
0003164302.tif 000007
【図３】
0003164302.tif 000008
【図４】
0003164302.tif 000009
【図５】
0003164302.tif 000010
【図６】
0003164302.tif 000011
【図７】
0003164302.tif 000012
【図８】
0003164302.tif 000013
【図９】
0003164302.tif 000014
【図１０】
0003164302.tif 000015
【図１１】
0003164302.tif 000016